(57)【特許請求の範囲】
【請求項１】
穀物調製機の排風口または排塵口に接続して、排風口または排塵機の排塵口から排風にともなって排出される塵埃を分離収集する集塵装置であって、排風を導入して旋回させながら塵埃を分離するサイクロンと、このサイクロンで分離された塵埃を充填する集塵袋とで構成され、上記サイクロンの下端はその内周面に沿って開口した塵埃落下口を設けた底面板を配置し、塵埃落下口には開閉自在のシャッタを備えて、塵埃落下口の下に集塵袋を装着して塵埃落下口から集塵袋にかけて密閉空間を形成する構成としたことを特徴とする穀物調製機の集塵装置。
【請求項２】
塵埃落下口は、サイクロンの内周面に沿って複数開口し、各塵埃落下口に開閉自在のシャッタを備えていることを特徴とする請求項１記載の穀物調製機の集塵装置。
【請求項３】
サイクロンの下部には、塵埃落下口との間に密閉空間を形成するように装着する集塵袋の密封着脱構造を有することを特徴とする請求項１に記載の穀物調製機の集塵装置。
【請求項４】
サイクロンは、上部が円筒状の旋回部を成し、かつその下部が逆円錐状の円錐筒部を成していることを特徴とする請求項１または２記載の穀物調製機の集塵装置。
【請求項５】
サイクロンの円錐筒部内に、分離した塵埃を塵埃落下口に誘導する円錐体を設けたことを特徴とする請求項３記載の穀物調製機の集塵装置。
【請求項６】
サイクロンは、円筒体の内部に円錐体を設けて下方に向けて順次狭まる塵埃分離空間を形成して成ることを特徴とする請求項１または２記載の穀物調製機の集塵装置。
【発明の詳細な説明】
【０００１】
【発明の属する技術分野】
本発明は、穀物乾燥機や籾摺機などの穀物調製機の排風口または排塵口に接続して、排風口または排塵機の排塵口から排風にともなって排出される塵埃を分離して集塵袋に収集する穀物調製機の集塵装置に関する。
【０００２】
【従来の技術】
穀物を通風乾燥する穀物乾燥機において、被乾燥穀物層を通過して排風口から排出される排風には、藁屑、穀物の殻、穎、毛茸、泥あるいは埃などの塵埃が多く含まれている。また、穀物乾燥機には、被乾燥穀物に混入している塵埃を除去する排塵機を付設することもあるが、この排塵機の排塵口からも排風にともなって多くの塵埃が排出される。
【０００３】
また、籾摺機においては、摺り落とした籾殻を選別除去する風選装置を備えているが、風選部からの排風には、籾殻やその砕け屑などが少なからず含まれていて、排風にともなってそれが排出される。
【０００４】
ところで、従来から一般農家においては、穀物乾燥機や籾摺機などの排風口または付設した排塵機の排風口にダクトを接続して屋外に導き、それらの排風口からの塵埃を含んだ排風をダクトを通してそのまま屋外に排出することが多く行われている。
【０００５】
しかしながら、穀物乾燥機や籾摺機などの排風口から排出される排風を、ダクトで屋外に導いて排出すると、塵埃による周辺の環境悪化が避けられないので、一般農家においても、穀物乾燥機に併設して用いる集塵装置の需要が高まっており、その需要に応えるべく、湿式または乾式の集塵装置が種々開発されている。
【０００６】
例えば、特開昭５９−４１７７６号公報または特開昭５９−７７２８７号公報は、穀物乾燥機の集塵装置の一例を示している。すなわち、その集塵装置は、集塵用排風機の排風口にダクトを介してサイクロンコレクターを接続したものであって、排風中に含まれる塵埃をサイクロンコレクターで捕集したうえ、その下に配置した集塵箱に集積するようになっている。また、実開昭６３−２５１４７号公報は、サイクロンにより分離した塵埃を集塵袋に収集する装置が紹介されている。
【０００７】
【発明が解決しようとする課題】
ところが、特開昭５９−４１７７６号公報または特開昭５９−７７２８７号公報に示す集塵装置のように、塵埃を集塵箱に集積すると、集積した塵埃を処理するにあたって、それを別の集塵袋や容器等に移し替えなければならないので、作業に手間取るうえ、塵埃の移し替え時に塵埃の一部が飛散して、作業環境を悪くすることが避けられないのが実情である。
【０００８】
このため、穀物乾燥機においては、捕集した塵埃を、ポリエチレン製などの密閉袋にそのまま収集して封止めできることが要望されるところであるが、実開昭６３−２５１４７号公報に示すものでは、サイクロンで分離した塵埃をスクリューによる搬送手段により搬送して集塵袋に収集するので、大掛かりな構成となって設置場所をとり、一般農家で採用するのが困難であるだけでなく、サイクロンと塵埃収集袋との間が密閉されていないので、殊に細塵の飛散が避けられないのが実情である。
【０００９】
また、従来のサイクロンは、その下端が全面開口していて、その下端開口から塵埃を落下させるが、この場合サイクロンの下端開口にポリエチレン製の集塵袋を密閉状に装着するだけでは、サイクロンの内部に生じる負圧によって集塵袋が吸着されてしまい、サイクロンの下端開口が塞がれて塵埃の収集が全くできないことが本発明者の実験により分かっている。
【００１０】
そこで、本発明は、排風を導入して旋回させながら塵埃を分離するサイクロンの下端にサイクロンの内周面に沿って塵埃落下口を開口した底面板を設けて、塵埃落下口の下に集塵袋を装着して塵埃落下口から集塵袋にかけて密閉空間を形成する構成とすることにより、サイクロンの塵埃落下口に集塵袋を密閉状に装着しても、密閉状の集塵袋がサイクロン内に生じる負圧によってサイクロン内に吸着されることがなく、サイクロンで分離された塵埃をサイクロンの塵埃落下口に対して密閉状を成す集塵袋に滞り無く収集することができる穀物調製機の集塵装置を提供することを目的とする。
【００１１】
【課題を解決するための手段】
上記目的を達成するため、本発明は次のように構成した、すなわち、本発明の請求項１に係る発明は、穀物調製機の排風口または排塵口に接続して、排風口または排塵機の排塵口から排風にともなって排出される塵埃を分離収集する集塵装置であって、排風を導入して旋回させながら塵埃を分離するサイクロンと、このサイクロンで分離された塵埃を充填する集塵袋とで構成され、上記サイクロンの下端はその内周面に沿って開口した塵埃落下口を設けた底面板を配置し、塵埃落下口には開閉自在のシャッタを備えて、塵埃落下口の下に集塵袋を装着して塵埃落下口から集塵袋にかけて密閉空間を形成する構成としたことを特徴とする穀物調製機の集塵装置である。
【００１２】
本発明の請求項２に係る発明は、請求項１記載の穀物調製機の集塵装置において、塵埃落下口は、サイクロンの内周面に沿って複数開口し、各塵埃落下口に開閉自在のシャッタを備えていることを特徴とするものである。
【００１３】
本発明の請求項３に係る発明は、請求項１または２記載の穀物調製機の集塵装置において、サイクロンの下部には、塵埃落下口との間に密閉空間を形成するように装着する集塵袋の密封着脱構造を有することを特徴とするものである。
【００１４】
本発明の請求項４に係る発明は、請求項１、２または３記載の穀物調製機の集塵装置において、サイクロンは、上部が円筒状の旋回部を成し、かつその下部が逆円錐状の円錐筒部を成していることを特徴とするものである。
【００１５】
本発明の請求項５に係る発明は、請求項４記載の穀物調製機の集塵装置において、サイクロンの円錐筒部内に、分離した塵埃を塵埃落下口に誘導する円錐体を設けたことを特徴とするものである。
【００１６】
本発明の請求項６に係る発明は、請求項１、２または３記載の穀物調製機の集塵装置において、サイクロンは、円筒体の内部に円錐体を設けて下方に向けて順次狭まる塵埃分離空間を形成して成ることを特徴とするものである。
【００１８】
【発明の実施の形態】
図１は本発明に係る集塵装置の一実施の形態を示す全体斜視図、図２は図１の一部破断斜視図、図３は図１に示すものの縦断面図、図４は図３の平断面図、図５は本発明に係る集塵装置の他の実施の形態を示す縦断面図、図６は本発明に係る集塵装置のさらに他の実施の形態を示す縦断面図、図７は図６の平断面図、図８は本発明に係る集塵装置において塵埃落下口の他の形態を示す平断面図である。
【００１７】
図１ないし図４において、１は本発明に係る集塵装置である。この集塵装置１は、排風を導入して旋回させながら塵埃を分離するサイクロン２と、このサイクロン２で分離された塵埃を充填する集塵袋３とで構成されている。サイクロン２は、逆円錐状を成す円錐筒体４から成り、その上端側は円筒状の旋回部５を成していて、旋回部５には、穀物乾燥機などの穀物調製機の排風口またはそれに付設した排塵機の排塵口（いずれも図示せず）からの排風を接線方向に導入する排風送込ダクト６が接続されている。サイクロン２の底面板９の上端には筒状の排風口７が開口していて、排風ダクト８が接続されている。
【００１８】
サイクロン２の下端は、サイクロン２の内周面に沿って複数の塵埃落下口１０が開口した底面板９が設けられている。そして、各塵埃落下口１０の下には、集塵袋３を装着して塵埃落下口１０から集塵袋３にかけて密閉空間を形成する構成を成している。集塵袋３は特に限定されるものでないが、一般には薄いポリエチレン製で開口端を除いて密閉状のものである。
【００１９】
サイクロン２は、それを垂直姿勢に保持するスタンド１１に取り付けられており、スタンド１１は、四方に放射状の足部１２を備えている。なお、このスタンド１１はサイクロン２を垂直姿勢に安定保持するとともに、集塵袋３の上下深さ方向の寸法に合うものであれば、図示のものに特定されるものでない。例えば足部１２は三方放射状または円環状などであってもよく、また、スタンド１１の支柱部は、集塵袋３の大きさ等に応じて高さを調節できることが望ましい。
【００２０】
サイクロン２の各塵埃落下口１０の下には、集塵袋３の密封着脱構造を有してる。すなわち、この密封着脱構造は、集塵袋３の開口端を被せて弾力止着する短円筒部１３と弾性バンド１４から成っており、短円筒部１３の上面は平面部１５を成していて塵埃落下口１０がその平面部１５に開口している。平面部１５には塵埃落下口１０を開閉する各々開閉自在のシャッタ１６を備えている。
【００２１】
図５に示すように、サイクロン２には、その内部に分離した塵埃を塵埃落下口１０に誘導する円錐体１７を設けた構成とすることができる。このように、円錐体１７を設けることにより、サイクロン２内で分離され、かつ下方に移動する塵埃を各塵埃落下口１０に向けて滞り無く誘導することができる。
【００２２】
図６および図７に示すように、サイクロン２は、全長にわたって同径である円筒体１８の内部に円錐体１９を設けることにより、下方に向けて順次狭まる塵埃分離空間２０を形成したものとすることができる。そして、この構成とすることにより、塵埃の分離作用と相俟って、分離した塵埃を各塵埃落下口１０に誘導する作用を併せもたせることができる。
【００２３】
本発明の各実施の形態において、集塵袋３の密封着脱構造を成す短円筒部１３の１つまたは２つ以上に、弾性バンド１４により集塵袋３を密閉状に装着したうえ、サイクロン２に排風送込ダクト５から穀物調製機の排風を導入すると、その排風（黒塗りつぶし矢印）は旋回部４内および逆円錐状の円錐筒体３内の一部を旋回する過程で塵埃が分離され、分離された塵埃（白抜き矢印）は、円錐筒体３の内周面に沿って下方に移動し、下端の塵埃落下口１０から集塵袋３に収集される。塵埃を分離された排風（黒塗りつぶし矢印）は、排風口７から排風ダクト８を通って排出される。
【００２４】
集塵袋３は、上記のように、１つまたは２つ以上を同時に装着して集塵を行うが、各塵埃落下口１０は、各々開閉自在のシャッタ１６を備えているので、各シャッタ１６の開閉により、集塵袋３に１つずつ、または２つ以上の集塵袋３に同時に塵埃を収集することができる。なお、集塵袋３に１つずつ収集する態様においては、１つが満杯になった際にそのシャッタ１６を閉じると同時に他の集塵袋３のシャッタ１６を開くことを順次繰り返すことによって、集塵袋３の交換にあたって集塵作業を中断することなく、効率よく作業を行うことができる。
【００２５】
ところで、サイクロン２の円錐筒３内は、排風口７からの排風にともなって負圧になるが、サイクロン２の下端の底面板９には、サイクロン２の内周面に沿って開口した塵埃落下口１０が設けられているので、塵埃落下口１０の下に密閉状に装着した集塵袋３が塵埃落下口１０からサイクロン２内に向けて吸着されることはない。このため、集塵袋３によって塵埃落下口１０が塞がることはなく、作業の開始時からサイクロン２で分離された塵埃を集塵袋３に滞りなく収集することができる。
【００２６】
なお、本発明において、塵埃落下口１０の下に集塵袋３を装着して塵埃落下口１０から集塵袋３にかけて密閉空間を形成する構成とは、必ずしも完全な密閉状態をいうものではなく、集塵袋３の装着部位または集塵袋３に若干の空気漏れが生じても、塵埃の飛散がなくその収集に支障が生じない程度であれば、密閉空間を形成する構成であるとする。
【００２７】
【発明の効果】
本発明によれば、排風を導入して旋回させながら塵埃を分離するサイクロンの下端の内周面に沿って塵埃落下口を開口した底面板を配置し、塵埃落下口の下に集塵袋を装着して塵埃落下口から集塵袋にかけて密閉空間を形成する構成とすることにより、サイクロンの塵埃落下口に集塵袋を密閉状に装着しても、密閉状の集塵袋がサイクロン内に生じる負圧によってサイクロン内に吸着されることがなく、サイクロンで分離された塵埃をサイクロンの塵埃落下口に対して密閉状を成す集塵袋に滞り無く収集することができる穀物調製機の集塵装置を提供することができる。
【００２８】
さらに、塵埃落下口には開閉自在のシャッタを備えて、塵埃落下口の下に集塵袋を装着して塵埃落下口から集塵袋にかけて密閉空間を形成させているので、各シャッタの開閉により、集塵袋に１つずつ、または２つ以上の集塵袋に同時に塵埃を収集することができると共に、集塵袋に１つずつ収集する態様においては、１つが満杯になった際にそのシャッタを閉じると同時に他の集塵袋のシャッタを開くことを順次繰り返すことによって、集塵袋の交換にあたって集塵作業を中断することなく、効率よく作業を行うことができる効果を有している。
【図面の簡単な説明】
【図１】  本発明に係る集塵装置の一実施の形態を示す全体斜視図である。
【図２】  図１の一部破断斜視図である。
【図３】  図１に示すものの縦断面図である。
【図４】  図３の平断面図である。
【図５】  本発明に係る集塵装置の他の実施の形態を示す縦断面図である。
【図６】  本発明に係る集塵装置のさらに他の実施の形態を示す縦断面図である。
【図７】  図６の平断面図である。
【図８】  本発明に係る集塵装置において塵埃落下口の他の形態を示す平断面図である。
【符号の説明】
１  集塵装置
２  サイクロン
３  集塵袋
４  円錐筒体
５  旋回部
６  排風送込ダクト
７  排風口
８  排風ダクト
９  底面板
１０  塵埃落下口
１１  スタンド
１２  足部
１３  短円筒部
１４  弾性バンド
１５  平面部
１６  シャッタ
１７  円錐体
１８  円筒体
１９  円錐体
２０  塵埃分離空間
【図１】
0003960407.tif 000002
【図２】
0003960407.tif 000003
【図３】
0003960407.tif 000004
【図４】
0003960407.tif 000005
【図５】
0003960407.tif 000006
【図６】
0003960407.tif 000007
【図７】
0003960407.tif 000008
【図８】
0003960407.tif 000009